(57)【要約】      （修正有）【課題】食べ物を触るとき食べ物が手に直接触れないようにして衛生的に使用可能であり、安全に使用できる使い捨て食べ物用トングを提供する。【解決手段】使い捨て食べ物用トングは、人差し指が配置される第１トング部１１０と、中指が配置される第２トング部１２０と、第１トング部１１０と第２トング部１２０との末端を連結する連結部１３０と、連結部１３０から第１トング部１１０の反対方向に延長され、２つの第１折り畳み線１４１が、長さ方向に相互に離隔される折り畳み部１４０と、折り畳み部１４０から第１トング部１１０の反対方向に延長され、親指が配置される第３トング部１５０とを含み、折り畳み部１４０が同一方向に一定の角度で折り畳まれることにより、第１トング部１１０と第２トング部１２０は、第３トング部１５０と対向配置されるように折り曲げられる。【選択図】図１
0003211555.tif 000002
【実用新案登録請求の範囲】
【請求項１】
人差し指が配置される第１トング部（１１０）と、
前記第１トング部（１１０）の側部に隣接して形成され、中指が配置される第２トング部（１２０）と、
前記第１トング部（１１０）と前記第２トング部（１２０）との末端を連結する連結部（１３０）と、
前記連結部（１３０）から前記第１トング部（１１０）の反対方向に長く延長され、幅方向に長い２つの第１折り畳み線（１４１）が、長さ方向に相互に離隔される折り畳み部（１４０）と、
前記折り畳み部（１４０）から前記第１トング部（１１０）の反対方向に長く延長され、親指が配置される第３トング部（１５０）とを含み、
前記折り畳み部（１４０）が同一方向に一定の角度で折り畳まれることにより、前記第１トング部（１１０）と前記第２トング部（１２０）は、前記第３トング部（１５０）と対向配置されるように折り曲げられ、
前記第１トング部（１１０）には、前記第２トング部（１２０）の反対側に長く延長形成され、前記第２トング部（１２０）の方向に折り畳まれて人差し指を包む第１リング部（１１１）が形成され、
前記第２トング部（１２０）には、前記第１トング部（１１０）の反対側に長く延長形成され、前記第１トング部（１１０）の方向に折り畳まれて中指を包む第２リング部（１２１）が形成され、
前記連結部（１３０）には、一側に長く延長形成され、他側に折り畳まれて人差し指と中指とを皆包む第３リング部（１３１）が形成され、
前記第３トング部（１５０）には、前記第３トング部（１５０）の他側に折り曲げられて前記第３トング部（１５０）の前面に配置される親指を包む第４リング部（１５１）が形成され、
前記第１トング部（１１０）と前記第２トング部（１２０）との間に扇形状に形成され、径方向に複数の第３折り畳み線（１６１）が一定の間隔で形成されるしわ部（１６０）を含み、
前記しわ部（１６０）は、前記第１トング部（１１０）と前記第２トング部（１２０）との間の角度が調節されるように、前記第３折り畳み線（１６１）が交互に変わると、相互に反対方向に折り畳まれることを特徴とする使い捨て食べ物用トング。
【請求項２】
前記第１トング部（１１０）、前記第２トング部（１２０）及び前記第３トング部（１５０）の先端から長さ方向に延長形成され、それぞれ前記第１リング部（１１１）、前記第２リング部（１２１）及び前記第４リング部（１５１）に折り畳まれて付着される第１カバー部（１７０）をさらに含むことを特徴とする請求項１に記載の使い捨て食べ物用トング。
【請求項３】
前記折り畳み部（１４０）には、前記連結部（１３０）方向においての末端にＸ字形態の第２折り畳み線（１４２）が形成され、前記連結部（１３０）が前記折り畳み部（１４０）の両側方向に一定の角度でねじれられるように、前記折り畳み部（１４０）の末端は、前記第２折り畳み線（１４２）によって厚さ方向にＶ字形態に折り曲げられることを特徴とする請求項１に記載の使い捨て食べ物用トング。
【考案の詳細な説明】
【技術分野】
【０００１】
本考案は、使い捨て食べ物用トングに関するものであり、特に、手で食べ物を摂取したり、調理をするとき、指に食べ物がつかず、衛生的に食べ物を触ることができる使い捨て食べ物用トングに関する。
【背景技術】
【０００２】
最近では、経済成長とともに生活の質が向上され、週５日制の拡散とともに余暇及びレジャー文化生活に対する関心が高まることに従って、レジャー産業、文化産業、外食産業などのサービス業種が注目されている。
【０００３】
特に、外食産業の場合、消費層、商圏、店舗の位置及び大きさなどのいろんな条件に応じて、様々な形態の飲食店に細分化されるが、大きく韓国料理、和食、洋食、中華料理などに区分され、細かくはファミリーレストラン、ファーストフード店、チキン屋、スナックバーなど、その種類は非常に多様に細分化されている。最近では、店舗管理の効率化及び創業への関心、そして規模の経済などの理由で、フランチャイズレストランが徐々に増加している傾向にある。
【０００４】
一方、このような料理の中で、特に鶏料理の場合、箸やフォークなどのツールを使用すると、肉をしっかりと抜きにくくて、主に手を使って食べるほうが、さらに便利である場合が多い。
【０００５】
しかし、調理された鶏料理は味付けされているため、鶏料理を素手で握る場合、手に調味料が付いて、水やおしぼりなどで手を洗浄しなければならない面倒があり、このような面倒でなくても素手で食べ物をとることが、衛生上清潔ではないという問題点があった。
【０００６】
また、ピザ、パン、ハンバーガーまたはスナック類を摂取する際にも手を使うようになって、手で簡単にとって食べることができるフィンガーフードと呼ばれる料理分野があるほど、手で食べ物を摂取する場合が頻繁に発生する。
【０００７】
このため、飲食店では、お客様に、使い捨てのビニール手袋などを支給して、手に調味料を直接つけずに食べ物を食べられるようにお勧めしているが、使い捨てのビニール手袋の特性上、手が挟まれる挿入口以外に換気スペースがないため、ビニール手袋の内側に湿気や汗がこもれ、これにより、実際に食べ物を手で取って食べるのが不便である問題点があった。
【先行技術文献】
【特許文献】
【０００８】
【特許文献１】韓国登録実用新案第２０−０３６６１９７号公報
【考案の概要】
【考案が解決しようとする課題】
【０００９】
本考案は、前記した問題点を解決するためのものであり、食べ物を触るとき中指、人差し指及び親指に装着されて、食べ物が手に直接触れないようにして、衛生的に使用可能であり、特に、中指と人差し指を二重に包む第３リング部が形成されて、製品が手のひらに密着されて、より安全に使用できる使い捨て食べ物用トングを提供することにその目的がある。
【課題を解決するための手段】
【００１０】
前記の目的を達成するために、本考案の使い捨て食べ物用トングは、人差し指が配置される第１トング部１１０と、前記第１トング部１１０の側部に隣接して形成され、中指が配置される第２トング部１２０と、前記第１トング部１１０と前記第２トング部１２０との先端を連結する連結部１３０と、前記連結部１３０から前記第１トング部１１０の反対方向に長く延長され、幅方向に長い２つの第１折り畳み線１４１が、長さ方向に相互に離隔される折り畳み部１４０と、前記折り畳み部１４０から前記第１トング部１１０の反対方向に長く延長され、親指が配置される第３トング部１５０とを含み、前記折り畳み部１４０が同一方向に一定の角度で折り畳まれることにより、前記第１トング部１１０と前記第２トング部１２０は、前記第３トング部１５０と対向配置されるように折り曲げられる。
【００１１】
前記第１トング部１１０には、前記第２トング部１２０の反対側に長く延長形成され、前記第２トング部１２０の方向に折り畳まれて人差し指を包む第１リング部１１１が形成され、前記第２トング部１２０には、前記第１トング部１１０の反対側に長く延長形成され、前記第１トング部１１０の方向に折り畳まれて中指を包む第２リング部１２１が形成され、前記連結部１３０には、一側に長く延長形成され、他側に折り畳まれて人差し指と中指とを皆包む第３リング部１３１が形成される。
【００１２】
前記折り畳み部１４０には、前記連結部１３０方向の末端に「Ｘ」字形態の第２折り畳み線１４２が形成され、前記連結部１３０が前記折り畳み部１４０の両側方向に一定の角度でねじれるように、前記折り畳み部１４０の末端は、前記第２折り畳み線１４２によって厚さ方向に「Ｖ」字形態に折り曲げられる。
【００１３】
前記第１トング部１１０と前記第２トング部１２０との間に扇形状に形成され、径方向に複数の第３折り畳み線１６１が一定の間隔で形成されるしわ部１６０を含み、前記しわ部１６０は、前記第１トング部１１０と前記第２トング部１２０との間の角度が調節されるように、前記第３折り畳み線１６１が交互に変わると、相互に反対方向に折り畳まれる。
【考案の効果】
【００１４】
以上説明したように、本考案の使い捨て食べ物用トングは、次のような効果がある。
【００１５】
前記第１トング部１１０、第２トング部１２０及び前記第３トング部１５０を利用して、食べ物を触ることで、第１トング部１１０、第２トング部１２０及び第３トング部１５０の背面が食べ物と接するので、指には食べ物や調味料がつかないようにされ、衛生的に食べ物を手入れしたり、摂取したりすることができる効果が発生される。
【００１６】
特に、前記連結部１３０に、人差し指と中指との末端部付近を二重に包む前記第３リング部１３１が備えられることにより、前記連結部１３０が手のひら部分に密着されて、手のひらに食べ物がつくことを最小限にし、簡単に外されないように指との結合力が向上される効果が発生される。
【００１７】
また、前記折り畳み部１４０に、第１折り畳み線１４１が長さ方向に一定の間隔で離隔形成されることにより、食べ物をとる動作をするとき、前記連結部１３０と前記第３トング部１５０がスムーズに折り畳まれて、使用を便利にする効果が発生される。
【００１８】
また、前記折り畳み部１４０に、２つの対角線と１つの水平線からなる前記第２折り畳み線１４２が形成されることにより、前記連結部１３０の方向の前記折り畳み部１４０の末端の両側にジグザグ状に折り畳まれ、これにより、前記第１トング部１１０と第２トング部１２０が両側方向に一定の角度で傾かれたり、ねじれられたりする動作をスムーズにすることができるようにする効果が発生される。
【図面の簡単な説明】
【００１９】
【図１】本考案の第１実施例に係る使い捨て食べ物用トングの斜視図である。
【図２】本考案の第１実施例に係る使い捨て食べ物用トングの側面図である。
【図３】図１のＡ-Ａから見た断面図である。
【図４】本考案の第１実施例に係る使い捨て食べ物用トングの展開図である。
【図５】本考案の第２実施例に係る使い捨て食べ物用トングの斜視図である
【図６】本考案の第２実施例に係る使い捨て食べ物用トングの展開図である。
【図７】本考案の他の実施例に係る使い捨て食べ物用トングの断面図である。
【図８】本考案の第３実施例に係る使い捨て食べ物用トングの斜視図である。
【図９】本考案の第３実施例に係る使い捨て食べ物用トングの展開図である。
【図１０】本考案の第４実施例に係る使い捨て食べ物用トングの斜視図である。
【図１１】本考案の第４実施例に係る使い捨て食べ物用トングの展開図である。
【図１２】本考案の第５実施例に係る使い捨て食べ物用トングの斜視図である。
【考案を実施するための形態】
【００２０】
第１実施例
図１乃至図４に示すように、本考案の第１実施例に係る使い捨て食べ物用トングは、第１トング部１１０、第２トング部１２０、連結部１３０、折り畳み部１４０及び第３トング部１５０からなる。
【００２１】
具体的な説明に先立ち、本考案の実施例に係る使い捨て食べ物用トングは、一つの平面の紙の上に形成されることで、図２に示すように、平面形状に切断された後、折って使用するように構成されたものである。
【００２２】
具体的に、前記第１トング部１１０は、人差し指が配置される部分として、人差し指の長さ方向に長い長方形形状を有する。
【００２３】
また、前記第１トング部１１０には、熱伝達率が低いパッドＰが取り付けられる。前記パッドＰは、前記第１トング部１１０の前面に付着され、食べ物の熱気が指に伝達されることを最小化させ、熱い食べ物を容易にとることができるようにし、熱によって負傷することを防止することである。
【００２４】
また、前記パッドＰの上面に接着部が形成され、前記接着部には、後述する第１リング部１１１が付着固定される。
【００２５】
ここで、前記接着部は、離型紙に覆われた状態で製品化され、使用時に離型紙を除去して使用することである。
【００２６】
また、前記接着部の面積は、後述する前記第１リング部１１１より広く形成されるが、前記第１リング部１１１によって覆われていない部分の前記接着部は、指と接着され、これにより、指が前記第１トング部１１０に付着されて、容易に抜けないようにする機能をすることである。
【００２７】
前記第１トング部１１０の一側には、帯状の前記第１リング部１１１が突出形成される。
【００２８】
前記第１リング部１１１は、前記第１トング部１１０の前面に配置された人差し指の先端部付近を包むように前記第１トング部１１０の他側、すなわち、後述する前記第２トング部１２０が配置された方向に折り畳まれ、図３に示すように、末端を希望の長さに折って前記パッドＰの上面に形成された前記接着部に付着固定される。
【００２９】
もちろん、場合によって、前記第１リング部１１１は、前記第１トング部１１０に、長さが調節できるように装着されることができる。
【００３０】
具体的には、図７に示すように、前記第１トング部１１０に幅方向に一定の間隔で離隔された２つの挿入部１１２が形成される。
【００３１】
前記挿入部１１２は、厚さ方向に切開されたもので、前記第１リング部１１１の末端が、図６に示すように、上下に交替すると挟まれるようになる。
【００３２】
前記第１リング部１１１が前記挿入部１１２に挟まれた状態で、末端を引っ張ると前記第１トング部１１０に配置された人差し指の大きさに合わせて長さが調節され、人差し指が前記第１トング部１１０の前面に露出された前記第１リング部１１１を押すことにより、前記第１リング部１１１が前記挿入部１１２から容易に離脱しないように固定される。
【００３３】
このように、前記第１トング部１１０に前記挿入部１１２が備えられることにより、前記第１リング部１１１の長さを指の大きさに合わせて調節することができ、これにより、固定力をさらに向上させる効果が発生される。
【００３４】
このような前記挿入部１１２は、前記第２トング部１２０、連結部１３０及び第３トング部１５０にもそれぞれに適用されることができる。
【００３５】
一方、前記第２トング部１２０は、前記第１トング部１１０と同じ長方形形状であり、前記第２トング部１２０の他側に隣接して配置され、前面に中指が配置され、第１トング部１１０と同様に、熱伝達率が低いパッドＰが付着される。
【００３６】
このような前記第２トング部１２０には、前記第１トング部１１０の反対側に長い帯状の第２リング部１２１が突出延長される。
【００３７】
前記第２リング部１２１は、中指の先端部付近を包むように前記第１トング部１１０の方向に折り畳まれ、末端が前記第２リング部１２１の背面に接着剤などで付着固定される。
【００３８】
前記連結部１３０は、前記第１トング部１１０と前記第２トング部１２０の末端を連結する部分として、前記第１トング部１１０と第２トング部１２０を合わせた幅と同じ幅を有する四角形形状に形成される。
【００３９】
このような前記連結部１３０の前面には、人差し指と中指が一緒に配置され、手のひら部分に隣接して位置するようになる。
【００４０】
また、前記連結部１３０には、一側に長い帯状の第３リング部１３１が延長形成される。
【００４１】
前記第３リング部１３１は、前記連結部１３０の他側に折り畳まれ、末端が前記連結部１３０の背面に接着剤などで付着固定される。
【００４２】
このような前記第３リング部１３１は、前面に配置された人差し指と中指の末端部付近を包むようになる。
【００４３】
このように、前記第１トング部１１０と前記第２トング部１２０とに、それぞれ第１リング部１１１と第２リング部１２１とが備えられると同時に、前記連結部１３０に前記第３リング部１３１が備えられることにより、人差し指と中指との先端部だけでなく、末端部を二重に包むようになって、指が容易に抜けることを防止し、前記連結部１３０及び後述する前記折り畳み部１４０が手のひらの方向に密着して、食べ物が手のひらにつくのを最小化する効果が発生される。
【００４４】
一方、前記折り畳み部１４０は、前記連結部１３０で前記第１トング部１１０の反対方向に長く延長されることとして、前記連結部１３０より幅が狭い四角形形状であり、食べ物をとるとき、前記連結部１３０と後述する第３トング部１５０が相互に対向配置されるように折り曲げられる部分である。
【００４５】
具体的に、前記折り畳み部１４０には、幅方向に長い２つの第１折り畳み線１４１が、長さ方向に相互に離隔形成される。
【００４６】
前記第１折り畳み線１４１は、簡単に折り畳まれるように、点線状で、一定の間隔で切開されて形成され、場合によって、線に沿って加圧して、跡を形成する方法で形成されることもできる。
【００４７】
このような前記第１折り畳み線１４１は、ヒンジの機能をして、食べ物をとるとき、前記連結部１３０と後述する前記第３トング部１５０とが、前記第１折り畳み線１４１を基準に簡単に折り曲げられるようにし、これにより、トングの使用を便利で、正確に行われるようにする効果が発生される。
【００４８】
また、前記折り畳み部１４０には、前記連結部１３０の方向においての末端に第２折り畳み線１４２が形成される。
【００４９】
前記第２折り畳み線１４２は、図４に示すように、前記連結部１３０の方向においての第１折り畳み線１４１と前記連結部１３０との間に形成され、相互に交差する２つの対角線と、前記対角線の交差点を通る水平線とからなる。
【００５０】
即ち、前記第２折り畳み線１４２は、「＊」を９０度に回転させたような形状に形成され、点線状に一定の間隔で切開されて、簡単に折り畳まれるように形成される。
【００５１】
もちろん、場合によって、前記第２折り畳み線１４２は、加圧して、跡を形成する方式で形成されることもできる。
【００５２】
このような前記第２折り畳み線１４２は、前記連結部１３０が前記折り畳み部１４０の両側方向に一定の角度でねじれられるように、前記折り畳み部１４０の末端両側が前記第２折り畳み線１４２によって、厚さ方向に「Ｖ」字形状に折り畳まれる。
【００５３】
即ち、図２に示すように、前記第２折り畳み線１４２は、前記連結部１３０の方向の前記折り畳み部１４０の末端の両側が「Ｖ」でジグザグ状に折り畳まれ、これにより、前記第１トング部１１０と第２トング部１２０が両側方向に一定の角度で傾かれたり、ねじれられたりする動作をスムーズにすることができるようにする効果が発生される。
【００５４】
一方、前記第３トング部１５０は、前記折り畳み部１４０から前記第１トング部１１０の反対方向に長く延長され、長方形形状に形成される。
【００５５】
このような前記第３トング部１５０の前面には、親指が配置され、前記第３トング部１５０の一側には帯状の第４リング部１５１が長く形成される。
【００５６】
前記第４リング部１５１は、前記第３トング部１５０の他側に折り曲げられて、前記第３トング部１５０の前面に配置された親指を包み、末端が前記第３トング部１５０の背面に接着剤で付着固定される。
【００５７】
上記の構成からなる本考案の第１実施例に係る使い捨て食べ物用トングは、前記第１トング部１１０と前記第２トング部１２０に挟まれている人差し指と中指を、前記第３トング部１５０に挟まれている親指の方向にすぼめて、食べ物などをとるなどの作業を行うことであなる。
【００５８】
このように前記第１トング部１１０、第２トング部１２０及び前記第３トング部１５０を利用して、食べ物に触られることにより、第１トング部１１０、第２トング部１２０及び第３トング部１５０の背面が食べ物と接するため、指には食べ物や調味料がつかないようになり、衛生的に食べ物を手入れしたり、摂取したりすることができる効果が発生される。
【００５９】
特に、前記連結部１３０に人差し指と中指との末端部付近を二重に包む前記第３リング部１３１が備えられることにより、前記連結部１３０が手のひら部分に密着されて、手のひらに食べ物がつくことを最小限にし、容易に外されないように指との結合力が向上される効果が発生される。
【００６０】
また、前記折り畳み部１４０に、第１折り畳み線１４１が長さ方向に一定の間隔で離隔形成されることにより、食べ物をとる動作をするとき、前記連結部１３０と前記第３トング部１５０がスムーズに折り畳まれ、使用を便利にする効果が発生される。
【００６１】
また、前記折り畳み部１４０に２つの対角線と１つの水平線とからなる前記第２折り畳み線１４２が形成されることにより、前記連結部１３０の方向の前記折り畳み部１４０の末端の両側にジグザグ状に折り畳まれ、これにより、前記第１トング部１１０と第２トング部１２０が両側の方向に一定の角度で傾かれたり、ねじれられたりする動作をスムーズにすることができるようにする効果が発生される。
【００６２】
第２実施例
図５は、本考案の第２実施例に係る使い捨て食べ物用トングの斜視図であり、図６は、本考案の第２実施例に係る使い捨て食べ物用トングの展開図である。
【００６３】
第２実施例に係る使い捨て食べ物用トングは、第１実施例でしわ部１６０が追加されたことを除いて、すべて同様であるため、残りの構成についての説明は省略する。
【００６４】
図５及び図６に示すように、前記第１トング部１１０と前記第２トング部１２０との間に扇形状のしわ部１６０が形成されることができる。
【００６５】
前記しわ部１６０には、径方向に長い複数の第３折り畳み線１６１が一定の間隔で形成されて、前記第３折り畳み線１６１が交互に相互反対方向に折り畳まれて、前記しわ部１６０がしわとともに折り畳まれてから、広げられることができるように形成される。
【００６６】
このように前記第１トング部１１０と前記第２トング部１２０との間が折り畳まれてから広げられるように、前記しわ部１６０が形成されることにより、前記第１トング部１１０と前記第２トング部１２０との間の角度が調節されて、人差し指と中指との動きを簡単にし、食べ物をより安定的にとることができるようにする効果が発生される。
【００６７】
第３実施例
図８は、本考案の第３実施例に係る使い捨て食べ物用トングの斜視図であり、図９は、本考案の第３実施例に係る使い捨て食べ物用トングの展開図である。
【００６８】
図８及び図９に示すように、本考案の第３実施例に係る使い捨て食べ物用トングは、第１トング部１１０、第２トング部１２０及び第３トング部１５０の先端に第１カバー部１７０が延長形成されることを除いて、すべて第１実施例と同様であるため、残りの構成についての説明は省略する。
【００６９】
前記第１カバー部１７０は、第１トング部１１０、第２トング部１２０及び第３トング部１５０の先端から長さ方向に延長形成され、それぞれ第１リング部１１１、第２リング部１２１及び第３リング部１３１に折り畳まれて付着される。
【００７０】
このように、第１トング部１１０、第２トング部１２０及び第３トング部１５０に前記第１カバー部１７０が延長形成されることにより、前記の指の末部分を包み、指の先端部分を全体的に保護して、食べ物がつくことを最小限にする効果が発生される。
【００７１】
第４実施例
図１０は、本考案の第４実施例に係る使い捨て食べ物用トングの斜視図であり、図１１は、本考案の第４実施例に係る使い捨て食べ物用トングの展開図である。
【００７２】
第５実施例に係る本考案の使い捨て食べ物用トングは、第１実施例で第１リング部１１１、第２リング部１２１及び第４リング部１５１の代わりに、第２カバー部１８０がそれぞれ備えられることを除いて、残りの構成は、第１実施例と同様である。
【００７３】
前記第２カバー部１８０は、前記第１トング部１１０、第２トング部１２０及び第３トング部１５０の側部に一定の角度で傾かれるようにそれぞれ延長形成され、指を左右に包み、三角状に折り畳まれて付着固定される。
【００７４】
具体的に、図１０に示すように、前記第１トング部１１０には、前記第２カバー部１８０が左側に上向きに傾いて延長形成され、右側に折り畳まれて、末端が後部に付着固定され、前記第２トング部１２０には、前記第２カバー部１８０が右側に上向きに傾いて延長形成され、左側に折り畳まれて付着固定される。
【００７５】
また、前記第３トング部１５０には、右側に下向きに傾いて前記第２カバー部１８０が延長形成され、左側に折り畳まれて、末端が付着固定される。
【００７６】
ここで、前記第２カバー部１８０は、第１実施例の第１リング部１１１、第２リング部１２１及び第４リング部１５１よりも幅が広く形成されて、指の末節が全部包まれる。
【００７７】
このように、前記第１トング部１１０、第２トング部１２０及び第３トング部１５０の側部にそれぞれ備えられて、三角状に折り畳まれる前記第２カバー部１８０が備えられることにより、指の末節を全体的に包み、食べ物が付くことをより効果的に防止する効果が発生される。
【００７８】
第５実施例
図１２は、本考案の第５実施例に係る使い捨て食べ物用トングの斜視図である。
【００７９】
図１２に示すように、第５実施例に係る使い捨て食べ物用トングは、第３実施例で前記第１トング部１１０と第２トング部１２０とが相互に一体に形成され、前記第１トング部１１０と第２トング部１２０とから延長された第１カバー部１７０が相互に一体に延長形成されることを除いて、全部第３実施例と同様である。
【００８０】
このように、前記第１トング部１１０と前記第２トング部１２０が一体的に形成されることにより、人差し指と中指がそれぞれ別々に動く動作には制限があるが、人差し指と中指との間に食べ物が浸透しないため、食べ物が人差し指と中指につくことを最小限にする効果が発生される。
【００８１】
本考案は、これに限定されず、以下の保護請求の範囲の思想及び領域を逸脱しない範囲内で、当業者によって様々な形態に変更実施されることができ、したがって、このような変更は、本考案の領域内にあるものと解釈しなければならない。
【符号の説明】
【００８２】
１１０  第１トング部      １１１  第１リング部
１１２  挿入部            １２０  第２トング部
１２１  第２リング部      １３０  連結部
１３１  第３リング部      １４０  折り畳み部
１４１  第１折り畳み線    １４２  第２折り畳み線
１５０  第３トング部      １５１  第４リング部
１６０  しわ部            １６１  第３折り畳み線
１７０  第１カバー部      １８０  第２カバー部
Ｐ  パッド                Ｔ  両面テープ
【図１】
0003211555.tif 000003
【図２】
0003211555.tif 000004
【図３】
0003211555.tif 000005
【図４】
0003211555.tif 000006
【図５】
0003211555.tif 000007
【図６】
0003211555.tif 000008
【図７】
0003211555.tif 000009
【図８】
0003211555.tif 000010
【図９】
0003211555.tif 000011
【図１０】
0003211555.tif 000012
【図１１】
0003211555.tif 000013
【図１２】
0003211555.tif 000014